(57)【要約】【課題】画像の画質の劣化を抑制することができるようにする。【解決手段】バックライト輝度算出部１２１は、画像の画像信号に基づいて、バックライトに射出させる光のバックライト輝度を求める。減算部１４２は、バックライト輝度算出部１２１からのバックライト輝度と、加算部１４１からのバックライト輝度との差分を求める。乗算部１４３は求められた差分に、その差分のバックライト輝度の補正に対する寄与の度合いを示す巡回係数を乗算し、補正値とする。加算部１４１は、バックライト輝度に補正値を加算して、バックライト輝度を補正する。また、除算部１２４は、画像信号とバックライト輝度とから、バックライトからの光を透過させて画像を表示する液晶パネルにおける光の透過率を算出する。本発明は、液晶表示装置に適用することができる。【選択図】図６
2009267475.tif 000002
【特許請求の範囲】
【請求項１】
光を透過させて表示画像を表示する表示パネルに入射させる光であって、バックライトに射出させる光の輝度を示すバックライト輝度を、前記表示画像の画像信号に基づいて算出する輝度算出手段と、
これから表示しようとする所定のフレームの前記表示画像の前記バックライト輝度と、前記所定のフレームよりも時間的に前のフレームの前記表示画像の前記バックライト輝度との差分を算出する差分算出手段と、
前記バックライト輝度の補正に対する前記差分の寄与の度合いを示す係数と、前記差分とにより定まる補正値を用いて、前記所定のフレームの前記バックライト輝度を補正する補正手段と、
補正された前記バックライト輝度と、前記画像信号とに基づいて、前記表示パネルにおける前記バックライトからの光の透過率を算出する透過率算出手段と
を備える表示制御装置。
【請求項２】
前記表示画像の明るさに基づいて、前記係数を変更する係数変更手段をさらに備える
請求項１に記載の表示制御装置。
【請求項３】
前記画像信号に基づいて、前記表示画像の平均輝度を算出する平均輝度算出手段と、
前記所定のフレームの前記表示画像の前記平均輝度と、前記前のフレームの前記表示画像の前記平均輝度との差分に基づいて前記係数を変更する係数変更手段と
をさらに備える請求項１に記載の表示制御装置。
【請求項４】
前記表示画像に対してローパスフィルタを用いたフィルタ処理を施すフィルタ処理手段と、
前記フィルタ処理が施された前記所定のフレームの前記表示画像における、所定の値以上の画素値の画素の数に基づいて前記係数を変更する係数変更手段と
をさらに備える請求項１に記載の表示制御装置。
【請求項５】
前記所定のフレームの前記バックライト輝度と、前記前のフレームの前記バックライト輝度との差分に基づいて前記係数を変更する係数変更手段をさらに備える
請求項１に記載の表示制御装置。
【請求項６】
複数の前記輝度算出手段のそれぞれは、複数の前記バックライトごとの前記バックライト輝度のそれぞれを算出し、
複数の前記透過率算出手段のそれぞれは、複数の前記バックライトに対応する前記表示パネルの領域のそれぞれについて前記透過率を算出する
請求項１に記載の表示制御装置。
【請求項７】
光を透過させて表示画像を表示する表示パネルに入射させる光であって、バックライトに射出させる光の輝度を示すバックライト輝度を、前記表示画像の画像信号に基づいて算出する輝度算出手段と、
これから表示しようとする所定のフレームの前記表示画像の前記バックライト輝度と、前記所定のフレームよりも時間的に前のフレームの前記表示画像の前記バックライト輝度との差分を算出する差分算出手段と、
前記バックライト輝度の補正に対する前記差分の寄与の度合いを示す係数と、前記差分とにより定まる補正値を用いて、前記所定のフレームの前記バックライト輝度を補正する補正手段と、
補正された前記バックライト輝度と、前記画像信号とに基づいて、前記表示パネルにおける前記バックライトからの光の透過率を算出する透過率算出手段と
を備える表示制御装置の表示制御方法であって、
前記輝度算出手段が、前記所定のフレームの前記表示画像の前記バックライト輝度を算出し、
前記差分算出手段が、前記バックライト輝度の前記差分を算出し、
前記補正手段が、前記係数および前記差分により定まる前記補正値を用いて、前記所定のフレームの前記バックライト輝度を補正し、
前記透過率算出手段が、前記バックライト輝度と前記画像信号とに基づいて、前記透過率を算出する
ステップを含む表示制御方法。
【請求項８】
光を透過させて表示画像を表示する表示パネルに入射させる光であって、バックライトに射出させる光の輝度を示すバックライト輝度を、前記表示画像の画像信号に基づいて算出し、
これから表示しようとする所定のフレームの前記表示画像の前記バックライト輝度と、前記所定のフレームよりも時間的に前のフレームの前記表示画像の前記バックライト輝度との差分を算出し、
前記バックライト輝度の補正に対する前記差分の寄与の度合いを示す係数と、前記差分とにより定まる補正値を用いて、前記所定のフレームの前記バックライト輝度を補正し、
補正された前記バックライト輝度と、前記画像信号とに基づいて、前記表示パネルにおける前記バックライトからの光の透過率を算出する
ステップを含む処理をコンピュータに実行させるプログラム。
【発明の詳細な説明】
【技術分野】
【０００１】
本発明は表示制御装置および方法、並びにプログラムに関し、特に、複数のバックライトを用いて液晶パネルに画像を表示させる場合に用いて好適な表示制御装置および方法、並びにプログラムに関する。
【背景技術】
【０００２】
従来、透過型の液晶パネルを利用した液晶表示装置として、複数のバックライトを用いることで、液晶パネル上の表示領域ごとに入射させる光の量を変化させ、表示される画像の輝度のダイナミックレンジ拡大を実現するものが提案されている（例えば、特許文献１参照）。
【０００３】
このように、複数のバックライトのそれぞれが、液晶パネルの対応する表示領域のそれぞれに光を入射させる場合、図１に示すように、各バックライトが発光すべき光量は、表示させる画像の画像信号から求められる。
【０００４】
すなわち、図１では、矢印Ａ１１に示す階段状の波形の画像信号が、発光量算出部１１および除算部１２に入力され、発光量算出部１１において、画像信号を基に、１つのバックライト１３の発光すべき光量が算出される。また、除算部１２では、供給された画像信号を、発光量算出部１１からの光量で除算することにより、バックライト１３に対応する液晶パネル１４の表示領域における光の透過率が算出される。
【０００５】
ここで、１つのバックライト１３の大きさは、液晶パネル１４の表示領域の画素の大きさよりも大きいので、バックライト１３の光量は、そのバックライト１３に対応する液晶パネル１４の表示領域に表示される画像の各画素の画素値から算出される。
【０００６】
そして光量が算出されると、バックライト１３は、発光量算出部１１により算出された光量に基づいて発光し、液晶パネル１４に光を入射させる。これにより、バックライト１３からは、矢印Ａ１２に示す波形の光が射出される。つまり、バックライト１３からの光は拡散するため、その光の中心の光量が最も多く、中心から離れるにしたがって光量が少なくなる。
【０００７】
また、液晶パネル１４は、矢印Ａ１３により示される波形で、つまり除算部１２により算出された透過率で、バックライト１３からの光を透過させる。これにより、液晶パネル１４の表示領域には、矢印Ａ１４に示すように、入力された画像信号の画像とほぼ同じ画像が表示されることになる。
【０００８】
【特許文献１】特開２００７−３２２９０１号公報
【発明の開示】
【発明が解決しようとする課題】
【０００９】
しかしながら、上述した技術では、入力される画像信号によっては、表示される画像の画質が劣化してしまう場合があった。
【００１０】
例えば、液晶表示装置では、バックライトの応答速度と、液晶パネルの応答速度とが異なるため、図２に示すように黒い背景上を白い点が移動する画像が表示される場合には、画像における白い点の周辺部分の画質が劣化してしまう。なお、図２には、各時刻における画像信号の各画素の画素値、バックライトの各位置における発光量、バックライトからの光の波形、および液晶パネルの各位置における透過率が示されている。また、図２において、縦方向は、画像信号のレベル（画素値）、発光量、光量、または透過率を示しており、横方向は位置を示している。
【００１１】
図２では、液晶表示装置には、時刻ｔ１において矢印Ａ３１に示す画像信号が入力され、その後、時刻ｔ２において矢印Ａ３２に示す画像信号が入力される。
【００１２】
矢印Ａ３１に示される画像信号の画像は、所定の領域の画素の画素値が大きく、他の領域の画素の画素値がほぼ０であるものとなっている。また、矢印Ａ３２に示される画像信号の画像は、矢印Ａ３１により示される画像を図中、右方向に移動させたものとなっている。つまり、入力された画像信号により表示される動画像は、黒い背景上を白い点が図中、左から右方向に、矢印Ｐ１１により示される位置（以下、位置Ｐ１１と称する）から矢印Ｐ１２により示される位置（以下、位置Ｐ１２と称する）まで移動する画像となる。
【００１３】
時刻ｔ１において画像信号が入力されると、バックライトは、矢印Ａ３３に示す波形の光を射出する。つまり、バックライトは、位置Ｐ１１を中心とする所定の領域が均一な明るさとなるように発光する。そして、バックライトから射出された光は拡散するため、液晶パネル直下において、その光の光量は矢印Ａ３４に示すように、位置Ｐ１１を中心として、位置Ｐ１１から離れるにしたがってなだらかに少なくなっていく。
【００１４】
また、時刻ｔ１において、画像信号が入力されると、液晶パネルは各画素の透過率を、矢印Ａ３５に示す透過率として、バックライトからの光を透過させて画像を表示する。すなわち、液晶パネルは、位置Ｐ１１を中心とする所定の領域内の画素の透過率が高くなり、その所定の領域外の画素の透過率が、所定の領域内の画素の透過率よりも低くなるように、各画素の透過率を変化させる。また、所定の領域外では、所定の領域の境界近傍の画素の透過率が最も低い値とされ、その境界から遠い位置となるほど徐々に画素の透過率が高くなっている。
【００１５】
さらに、時刻ｔ２において、矢印Ａ３２に示す画像信号が入力されると、バックライトは、矢印Ａ３６に示す波形の光を射出し、その光は液晶パネル直下において矢印Ａ３７に示す波形となる。そして、液晶パネルは、矢印Ａ３８に示す透過率で、バックライトからの光を透過させて画像を表示する。ここで、矢印Ａ３６乃至矢印Ａ３８により示される光量または透過率の形状（波形）は、矢印Ａ３３乃至矢印Ａ３５に示される光量または透過率の形状（波形）と、波形の中心の位置が異なるだけで、同形状の波形となっている。
【００１６】
このように、黒い背景上を白い点が移動する画像が表示される場合、バックライトの応答速度が液晶パネルの応答速度よりも速いと、白い点の移動方向の前後では、表示される画像の明るさが、本来表示しようとする明るさとは異なるものとなってしまう。
【００１７】
すなわち、矢印Ｐ１３により示される位置（以下、位置Ｐ１３と称する）では、時刻ｔ１から時刻ｔ２となるとき、バックライトにより射出される光の光量は増加し、液晶パネルの画素の透過率はより低くなるように制御される。ところが、位置Ｐ１３では、液晶パネルに入射する光の光量はすぐに増加するが、液晶パネルの応答速度は、バックライトの応答速度よりも遅いため、画素の開口の絞り込みが不十分となり、表示領域における位置Ｐ１３の画像は、本来表示させるべき画像よりも明るくなってしまう。
【００１８】
一方、矢印Ｐ１４により示される位置（以下、位置Ｐ１４と称する）では、時刻ｔ１から時刻ｔ２となるとき、バックライトにより射出される光の光量は減少し、液晶パネルの画素の透過率はより高くなるように制御される。ところが、位置Ｐ１４では、液晶パネルに入射する光の光量はすぐに減少するが、液晶パネルの応答速度は、バックライトの応答速度よりも遅いため、画素の開口の開きが遅くなり、表示領域における位置Ｐ１４の画像は、本来表示させるべき画像よりも暗くなってしまう。
【００１９】
また、液晶パネルの透過率の変更は、線順次、つまり連続して並ぶ画素のラインごとに順番に行われる。そのため、透過率の変更とバックライトの発光量の変更とが同期せず、画面の切り替え時に、液晶パネルの表示領域に本来表示される画像とは異なる画像が表示されてしまう。
【００２０】
例えば、図３に示すように、３つのバックライト３１−１乃至バックライト３１−３が、画像Ａを表示させるときの発光量で発光し、液晶パネル３２が、画像Ａを表示させるときの透過率で、バックライト３１−１乃至バックライト３１−３からの光を透過させると、液晶パネル３２の表示領域には、画像Ａが表示される。
【００２１】
なお、バックライト３１−１乃至バックライト３１−３の図中、右側の３つの曲線は、バックライト３１−１乃至バックライト３１−３のそれぞれからの光の波形を示している。つまりそれらの曲線の図中、横方向は光量（明るさ）を示しており、縦方向は位置を示している。また、液晶パネル３２の１つの長方形は、１つの画素を表している。さらに、以下、バックライト３１−１乃至バックライト３１−３を個々に区別する必要のない場合、単にバックライト３１と称する。
【００２２】
液晶パネル３２に画像Ａが表示されている状態から、画像Ｂの画像信号が入力され、画像Ａから画像Ｂに表示が切り替えられる場合、図４に示すように、光の光量および透過率は、図中、上側のバックライト３１および画素から下方向に順番に切り替えられていく。
【００２３】
図４では、バックライト３１−１およびバックライト３１−２は、画像Ｂを表示するときの光量で発光しており、バックライト３１−３は、画像Ａを表示するときの光量のままで発光している。同様に、液晶パネル３２は、図中、上側半分の斜線が施された画素は、画像Ｂを表示するときの透過率で光を透過させており、下側半分の画素は、画像Ａを表示するときの透過率のままで光を透過させている。
【００２４】
したがって、液晶パネル３２の上側には画像Ｂが表示され、下側には画像Ａが表示されたままとなる。また、液晶パネル３２の図中、中央の部分では、液晶パネル３２の画素は、画像Ｂを表示させるときの光量の光を、画像Ａを表示させるときの透過率で透過させる。しかも、液晶パネル３２の図中、中央の部分の画素には、バックライト３１−２からの光だけでなく、バックライト３１−１やバックライト３１−３からの光も入射するため、表示される画像は、それらの光の影響も受けることになる。その結果、液晶パネル３２の中央の部分には、画像Ａとも画像Ｂとも異なる画像が表示されることになる。
【００２５】
このように、バックライト３１の光量と、液晶パネル３２の画素の透過率とが変更されるタイミングは位置によって異なるため、表示の切り替えの途中に、本来表示すべき画像とは異なる画像が表示されてしまい、画像の画質が劣化してしまう。特に、バックライト３１からの光の光量が急激に変化するときには、画質の劣化が顕著となる。
【００２６】
以上のように、バックライトを利用して液晶パネルに画像を表示させる場合、入力される画像信号によっては、表示される画像の画質が劣化してしまう場合があった。
【００２７】
本発明は、このような状況に鑑みてなされたものであり、表示される画像の画質の劣化を抑制することができるようにするものである。
【課題を解決するための手段】
【００２８】
本発明の一側面の表示制御装置は、光を透過させて表示画像を表示する表示パネルに入射させる光であって、バックライトに射出させる光の輝度を示すバックライト輝度を、前記表示画像の画像信号に基づいて算出する輝度算出手段と、これから表示しようとする所定のフレームの前記表示画像の前記バックライト輝度と、前記所定のフレームよりも時間的に前のフレームの前記表示画像の前記バックライト輝度との差分を算出する差分算出手段と、前記バックライト輝度の補正に対する前記差分の寄与の度合いを示す係数と、前記差分とにより定まる補正値を用いて、前記所定のフレームの前記バックライト輝度を補正する補正手段と、補正された前記バックライト輝度と、前記画像信号とに基づいて、前記表示パネルにおける前記バックライトからの光の透過率を算出する透過率算出手段とを備える。
【００２９】
表示制御装置には、前記表示画像の明るさに基づいて、前記係数を変更する係数変更手段をさらに設けることができる。
【００３０】
表示制御装置には、前記画像信号に基づいて、前記表示画像の平均輝度を算出する平均輝度算出手段と、前記所定のフレームの前記表示画像の前記平均輝度と、前記前のフレームの前記表示画像の前記平均輝度との差分に基づいて前記係数を変更する係数変更手段とをさらに設けることこができる。
【００３１】
表示制御装置には、前記表示画像に対してローパスフィルタを用いたフィルタ処理を施すフィルタ処理手段と、前記フィルタ処理が施された前記所定のフレームの前記表示画像における、所定の値以上の画素値の画素の数に基づいて前記係数を変更する係数変更手段とをさらに設けることこができる。
【００３２】
表示制御装置には、前記所定のフレームの前記バックライト輝度と、前記前のフレームの前記バックライト輝度との差分に基づいて前記係数を変更する係数変更手段をさらに設けることこができる。
【００３３】
複数の前記輝度算出手段のそれぞれには、複数の前記バックライトごとの前記バックライト輝度のそれぞれを算出させ、複数の前記透過率算出手段のそれぞれには、複数の前記バックライトに対応する前記表示パネルの領域のそれぞれについて前記透過率を算出させることができる。
【００３４】
本発明の一側面の表示制御方法またはプログラムは、光を透過させて表示画像を表示する表示パネルに入射させる光であって、バックライトに射出させる光の輝度を示すバックライト輝度を、前記表示画像の画像信号に基づいて算出し、これから表示しようとする所定のフレームの前記表示画像の前記バックライト輝度と、前記所定のフレームよりも時間的に前のフレームの前記表示画像の前記バックライト輝度との差分を算出し、前記バックライト輝度の補正に対する前記差分の寄与の度合いを示す係数と、前記差分とにより定まる補正値を用いて、前記所定のフレームの前記バックライト輝度を補正し、補正された前記バックライト輝度と、前記画像信号とに基づいて、前記表示パネルにおける前記バックライトからの光の透過率を算出するステップを含む。
【００３５】
本発明の一側面においては、光を透過させて表示画像を表示する表示パネルに入射させる光であって、バックライトに射出させる光の輝度を示すバックライト輝度が、前記表示画像の画像信号に基づいて算出され、これから表示しようとする所定のフレームの前記表示画像の前記バックライト輝度と、前記所定のフレームよりも時間的に前のフレームの前記表示画像の前記バックライト輝度との差分が算出され、前記バックライト輝度の補正に対する前記差分の寄与の度合いを示す係数と、前記差分とにより定まる補正値が用いられて、前記所定のフレームの前記バックライト輝度が補正され、補正された前記バックライト輝度と、前記画像信号とに基づいて、前記表示パネルにおける前記バックライトからの光の透過率が算出される。
【発明の効果】
【００３６】
本発明の一側面によれば、画像を表示させることができる。特に、本発明の一側面によれば、表示される画像の画質の劣化を抑制することができる。
【発明を実施するための最良の形態】
【００３７】
以下、図面を参照して、本発明を適用した実施の形態について説明する。
【００３８】
図５は、本発明を適用した表示装置の一実施の形態の構成例を示す図である。
【００３９】
表示装置６１は、表示制御部８１−１乃至表示制御部８１−４、バックライト制御部８２−１乃至バックライト制御部８２−４、バックライト８３−１乃至バックライト８３−４、液晶パネル制御部８４、および液晶パネル８５から構成される。
【００４０】
表示装置６１は、例えば、液晶ディスプレイなどの液晶表示装置であり、表示装置６１の表示制御部８１−１乃至表示制御部８１−４には、液晶パネル８５に表示させる表示画像の画像信号が入力される。
【００４１】
表示制御部８１−１乃至表示制御部８１−４は、入力された画像信号に基づいて、バックライト８３−１乃至バックライト８３−４に射出させる光の光量、より詳細には、光の輝度を示すバックライト輝度を算出して、バックライト制御部８２−１乃至バックライト制御部８２−４に供給する。
【００４２】
また、表示制御部８１−１乃至表示制御部８１−４は、画像信号に基づいて、バックライト８３−１乃至バックライト８３−４のそれぞれからの光の多くが入射する液晶パネル８５の表示領域のそれぞれについて、表示領域内の各画素の透過率を算出して液晶パネル制御部８４に供給する。この透過率は、例えば０から１までの間の値とされる。
【００４３】
なお、液晶パネル８５の表示領域の画素とは、画像の表示単位となり、Ｒ，Ｇ，Ｂのそれぞれの光を透過させる領域のそれぞれからなる１つのセルをいう。
【００４４】
バックライト制御部８２−１乃至バックライト制御部８２−４は、表示制御部８１−１乃至表示制御部８１−４から供給されたバックライト輝度に基づいて、バックライト８３−１乃至バックライト８３−４を制御し、発光させる。また、バックライト８３−１乃至バックライト８３−４は、バックライト制御部８２−１乃至バックライト制御部８２−４の制御にしたがって発光し、光を液晶パネル８５に入射させる。
【００４５】
液晶パネル制御部８４は、表示制御部８１−１乃至表示制御部８１−４から供給された各画素の透過率、すなわち開口率で、液晶パネル８５に光を透過させる。液晶パネル８５は、液晶パネル制御部８４から指示された透過率で、バックライト８３−１乃至バックライト８３−４から表示領域の各画素に入射した光を透過させ、表示画像を表示する。
【００４６】
なお、以下、表示制御部８１−１乃至表示制御部８１−４のそれぞれを個々に区別する必要のない場合、単に表示制御部８１と称し、バックライト制御部８２−１乃至バックライト制御部８２−４のそれぞれを個々に区別する必要のない場合、単にバックライト制御部８２と称する。また、以下、バックライト８３−１乃至バックライト８３−４のそれぞれを個々に区別する必要のない場合、単にバックライト８３と称する。
【００４７】
表示装置６１では、液晶パネル８５の背面に光源としてのバックライト８３が配置されており、バックライト８３から射出された光の多くは、そのバックライト８３に対向する液晶パネル８５の表示領域に入射する。例えば、バックライト８３−１から出射した光は、その多くが液晶パネル８５の図中、右斜め上側の部分に入射する。したがって、液晶パネル８５の図中、右斜め上側が明るく、他の部分が暗い画像を表示させる場合には、バックライト８３−１だけをある程度高い輝度で発光させ、他のバックライト８３−２乃至バックライト８３−４を比較的低い輝度で発光させることができる。これにより、バックライト８３の消費電力を抑えることができるとともに、表示画像の輝度のダイナミックレンジをより広くすることができる。
【００４８】
なお、表示装置６１には、透過型の液晶パネル８５が設けられているが、液晶パネルに限らず、バックライト８３からの光を透過させて画像を表示する透過型の表示パネルであれば、どのようなものであってもよい。
【００４９】
次に、図６は、図５の表示制御部８１のより詳細な構成例を示す図である。
【００５０】
表示制御部８１は、バックライト輝度算出部１２１、巡回処理部１２２、入射輝度算出部１２３、および除算部１２４から構成される。
【００５１】
表示装置６１の表示制御部８１に入力された画像信号は、表示制御部８１のバックライト輝度算出部１２１および除算部１２４に供給される。この画像信号は、例えば動画像の画像信号とされる。
【００５２】
バックライト輝度算出部１２１は、供給された画像信号に基づいて、バックライト８３に射出させる光のバックライト輝度を算出し、巡回処理部１２２に供給する。
【００５３】
例えば、バックライト輝度算出部１２１は、画像信号に基づいて、その画像信号に基づく表示画像上の領域のうち、バックライト８３に対応する液晶パネル８５の表示領域に表示される領域の画素の輝度の最大値を求める。そして、バックライト輝度算出部１２１は、求めた最大値に基づいて、バックライト８３に射出させるべき光のバックライト輝度を求める。
【００５４】
なお、バックライト８３に対応する液晶パネル８５の表示領域とは、液晶パネル８５の全体の表示領域を仮想的に分割して得られる領域であって、液晶パネル８５の背面直下の１つのバックライト８３からの光の大部分が入射する領域をいう。
【００５５】
例えば、液晶パネル８５の表示領域を図５中、右上、左上、左下、および右下の４つの領域に仮想的に分割したとすると、バックライト８３−１乃至バックライト８３−４のそれぞれに対応する表示領域のそれぞれは、表示領域上の右上、左上、左下、および右下の領域のそれぞれとされる。以下、バックライト８３に対応する液晶パネル８５の表示領域を部分表示領域とも称する。
【００５６】
巡回処理部１２２は、巡回処理を行って、バックライト輝度算出部１２１から供給された、これから表示しようとする所定のフレームの表示画像のバックライト輝度を、所定のフレームの時間的に１つ前のフレームの表示画像のバックライト輝度に基づいて補正する。巡回処理部１２２は、加算部１４１、減算部１４２、および乗算部１４３を備えている。
【００５７】
バックライト輝度算出部１２１からのバックライト輝度は、加算部１４１および減算部１４２に供給される。加算部１４１は、バックライト輝度算出部１２１から供給されたバックライト輝度に、乗算部１４３から供給された補正値を加算することにより、バックライト輝度を補正して、補正されたバックライト輝度を、減算部１４２、バックライト制御部８２、および入射輝度算出部１２３に供給する。
【００５８】
減算部１４２は、加算部１４１から供給されたバックライト輝度から、バックライト輝度算出部１２１から供給されたバックライト輝度を減算し、その減算結果を乗算部１４３に供給する。すなわち、減算部１４２は、これから表示しようとする所定のフレームのバックライト輝度と、その所定のフレームの直前のフレームのバックライト輝度との差分を求め、求められた差分を乗算部１４３に供給する。
【００５９】
乗算部１４３は、減算部１４２から供給された差分に、入力された巡回係数を乗算し、巡回係数の乗算された差分を補正値として加算部１４１に供給する。ここで、巡回係数とは、表示しようとする所定のフレームのバックライト輝度の補正に対する、直前のフレームのバックライト輝度、つまり減算部１４２からの差分の寄与の度合いを示す係数である。この巡回係数は、予め定められた定数、またはユーザにより適宜、変更される定数とされ、０から１までの値の係数とされる。
【００６０】
したがって、例えば、巡回係数が１である場合には、加算部１４１において、減算部１４２からの差分がそのままバックライト輝度に加算されることになり、補正されたバックライト輝度は、直前のフレームのバックライト輝度と同じ値となる。また、巡回係数がより小さくなるほど補正値は小さくなり、補正後のバックライト輝度は、補正前のバックライト輝度により近い値となる。そして、例えば、巡回係数が０となると、加算部１４１において、減算部１４２からの差分はバックライト輝度に加算されず、バックライト輝度がそのまま出力されることになる。
【００６１】
入射輝度算出部１２３は、巡回処理部１２２の加算部１４１から供給されたバックライト輝度に基づいて、バックライト８３に対応する液晶パネル８５の部分表示領域の各画素について、バックライト８３から画素に入射すると推定される光の輝度を示す画素入射輝度を算出する。すなわち、画素入射輝度は、供給されたバックライト輝度でバックライト８３が発光した場合に、バックライト８３から部分表示領域の画素に入射すると推定される光の輝度を示す情報である。
【００６２】
例えば、入射輝度算出部１２３は、対応するバックライト８３が発光した場合に、バックライト８３から射出された光がどのように拡散するかを示すプロファイルを予め保持している。そして、入射輝度算出部１２３は、保持しているプロファイルを用いて、加算部１４１から供給されたバックライト輝度でバックライト８３が発光したときに、そのバックライト８３に対応する液晶パネル８５の部分表示領域の各画素に、バックライト８３から入射すると推定される光の輝度を求め、それらの画素ごとの輝度を画素入射輝度とする。
【００６３】
入射輝度算出部１２３は、部分表示領域の各画素の画素入射輝度を求めると、それらの画素入射輝度を除算部１２４に供給する。
【００６４】
除算部１２４は、供給された画像信号の信号値、より詳細にはその信号値から求まる輝度を、入射輝度算出部１２３からの画素入射輝度で除算して、部分表示領域の各画素の透過率を算出する。そして、除算部１２４は、算出した画素ごとの透過率を液晶パネル制御部８４に供給する。
【００６５】
例えば、部分表示領域の注目している画素を注目画素と呼ぶこととする。また、その注目画素の画素入射輝度をＣＬとし、バックライト８３のバックライト輝度をＢＬとするとともに、注目画素と同じ位置にある表示画像上の画素、つまり注目画素に表示される画像が表示される、表示画像上の画素の輝度をＩＬとする。さらに、注目画素における光の透過率をＴとする。
【００６６】
この場合、バックライト８３をバックライト輝度ＢＬで発光させると、バックライト８３から注目画素に入射する光の輝度、つまり注目画素の画素入射輝度は、ＣＬとなる。そして、注目画素が透過率Ｔで、バックライト８３から入射した、画素入射輝度ＣＬの光を透過させると、注目画素から射出される光の輝度、つまり液晶パネル８５を見ているユーザにより知覚される注目画素の輝度（以下、表示輝度ＯＬとも称する）は、画素入射輝度ＣＬ×透過率Ｔで表される。表示輝度ＯＬが表示画像の画素の輝度ＩＬと等しければ、液晶パネル８５には表示画像と同じ画像が表示されるため、表示輝度ＯＬと輝度ＩＬとが等しいとすると、次式（１）が成立する。
【００６７】
透過率Ｔ＝（表示画像の画素の輝度ＩＬ）／（画素入射輝度ＣＬ）      ・・・（１）
【００６８】
したがって、除算部１２４は、供給された、注目画素に対応する表示画像の画素の画素値を表す画像信号の信号値、より詳細には、表示画像の画素の輝度ＩＬを、入射輝度算出部１２３から供給された注目画素の画素入射輝度ＣＬで除算することにより、注目画素の適切な透過率Ｔを算出することができる。
【００６９】
ところで、表示装置６１に動画像等の表示画像の画像信号が供給され、表示画像の表示が指示されると、表示装置６１は、その指示に応じて、表示画像を表示する表示処理を開始する。以下、図７のフローチャートを参照して、表示装置６１による表示処理について説明する。
【００７０】
ステップＳ１１において、バックライト輝度算出部１２１は、入力された画像信号に基づいて、バックライト８３のバックライト輝度を算出し、算出されたバックライト輝度を加算部１４１および減算部１４２に供給する。
【００７１】
ステップＳ１２において、減算部１４２は、加算部１４１から供給されたバックライト輝度と、バックライト輝度算出部１２１から供給されたバックライト輝度との差分を求め、求めた差分を乗算部１４３に供給する。
【００７２】
ステップＳ１３において、乗算部１４３は、減算部１４２から供給された差分に、入力された巡回係数を乗算して補正値を求め、求めた補正値を加算部１４１に供給する。
【００７３】
ステップＳ１４において、加算部１４１は、バックライト輝度算出部１２１から供給されたバックライト輝度に、乗算部１４３から供給された補正値を加算して、バックライト輝度を補正する。そして、加算部１４１は、補正されたバックライト輝度を、減算部１４２、入射輝度算出部１２３、およびバックライト制御部８２に供給する。
【００７４】
ステップＳ１５において、入射輝度算出部１２３は、加算部１４１から供給されたバックライト輝度に基づいて、バックライト８３に対応する液晶パネル８５の部分表示領域の画素ごとに、画素入射輝度を算出する。入射輝度算出部１２３は、算出した画素入射輝度を除算部１２４に供給する。
【００７５】
ステップＳ１６において、除算部１２４は、供給された画像信号を、入射輝度算出部１２３から供給された画素入射輝度で除算することにより、部分表示領域の画素ごとに、その画素の透過率を求め、液晶パネル制御部８４に供給する。
【００７６】
ステップＳ１７において、バックライト制御部８２は、加算部１４１から供給されたバックライト輝度に基づいて、そのバックライト輝度でバックライト８３を発光させる。また、バックライト８３は、バックライト制御部８２の制御に基づいて発光し、指定されたバックライト輝度の光を液晶パネル８５に入射させる。
【００７７】
なお、上述したステップＳ１１乃至ステップＳ１６の処理は、表示制御部８１−１乃至表示制御部８１−４のそれぞれにより個別に行われる。また、ステップＳ１７の処理は、バックライト制御部８２−１乃至バックライト制御部８２−４のそれぞれと、バックライト８３−１乃至バックライト８３−４のそれぞれとにより、個別に行われる。
【００７８】
ステップＳ１８において、液晶パネル制御部８４は、表示制御部８１から供給された液晶パネル８５の表示領域の画素ごとの透過率に基づいて、液晶パネル８５の動作を制御し、各画素の透過率を変更させる。
【００７９】
ステップＳ１９において、液晶パネル８５は、液晶パネル制御部８４の制御に基づいて、表示領域の画素の透過率を、画素ごとに指定された透過率に変更して、バックライト８３から入射した光を透過させることにより、表示画像を表示する。
【００８０】
ステップＳ２０において、表示装置６１は、表示画像の表示を終了するか否かを判定する。例えば、ユーザにより表示画像の表示の終了が指示されたか、または供給された画像信号の全てのフレームの表示画像が表示された場合、終了すると判定される。
【００８１】
ステップＳ２０において、表示画像の表示を終了しないと判定された場合、処理はステップＳ１１に戻り、上述した処理が繰り返される。つまり、次のフレームの表示画像について、バックライト輝度と透過率とが求められて、その表示画像が表示される。
【００８２】
これに対して、ステップＳ２０において、表示画像の表示を終了すると判定された場合、表示装置６１の各部は行っている処理を終了し、表示処理は終了する。
【００８３】
このようにして、表示装置６１は、画像信号が供給されると、バックライト輝度と透過率とを求めて表示画像を表示する。
【００８４】
表示装置６１によれば、表示しようとするフレームのバックライト輝度と、直前のフレームのバックライト輝度との差分が求められ、その差分と巡回係数とが用いられてバックライト輝度の補正が行われる。
【００８５】
したがって、表示画像の輝度が急激に変化する場合であっても、バックライト輝度が急激に変化することはない。すなわち、巡回係数に応じた速度でバックライト輝度が徐々に変化する。そのため、表示の急激な切り替わりを緩和することができ、バックライト８３と液晶パネル８５との応答速度が異なるために生じる画像の画質の劣化や、バックライト８３におけるバックライト輝度の変更と、液晶パネル８５の画素における透過率の変更とが同期しないために生じる画像の画質の劣化を抑制することができる。その結果、より高品質な表示画像を表示することができる。
【００８６】
なお、以上においては、表示画像のフレームごとにバックライト輝度および透過率を算出して変化させると説明したが、表示画像がプログレッシブ方式ではない他の方式で表示される場合には、フィールドやサブフィールドなどの表示の切り替えの単位（表示単位）ごとに、バックライト輝度および透過率が算出されて変更される。
【００８７】
また、入射輝度算出部１２３においては、１つのバックライト８３からの光のバックライト輝度に基づいて、各画素の画素入射輝度が算出されると説明したが、実際には、部分表示領域には、対応するバックライト８３だけでなく、他のバックライト８３からの光も入射する。そこで、入射輝度算出部１２３において、対応するバックライト８３のバックライト輝度と、他のバックライト８３のバックライト輝度とが用いられて画素入射輝度が算出されるようにしてもよい。
【００８８】
さらに、以上においては、乗算部１４３に入力される巡回係数は予め定められた定数、またはユーザにより適宜、変更される定数であると説明した。この場合、設定された巡回係数の値によっては、表示画像が急激に変化したときに、バックライト８３からの光が所望の明るさ（バックライト輝度）に到達するのに遅延が生じたり、表示画像が暗くなってもバックライト８３からの光がなかなか暗くならなかったりすることが起こり得る。
【００８９】
そこで、巡回係数が適切な値となるように、巡回係数を表示画像の状態に応じて動的に変更するようにしてもよい。そのような場合、表示制御部８１は、例えば、図８に示すように構成される。なお、図８において、図６における場合と対応する部分には同一の符号を付してあり、その説明は省略する。
【００９０】
図８の表示制御部８１には、図６の表示制御部８１に、さらに巡回係数算出部１７１が設けられており、表示制御部８１に入力された画像信号は、バックライト輝度算出部１２１、除算部１２４、および巡回係数算出部１７１に供給される。
【００９１】
巡回係数算出部１７１は、供給された画像信号に基づいて巡回係数を算出し、算出した巡回係数を巡回処理部１２２に供給する。これにより、巡回係数が画像信号に応じて適切な値に動的に変更されるので、表示画像の画質の劣化をより抑制することができる。
【００９２】
この巡回係数算出部１７１は、より詳細には、例えば図９に示すように、平均輝度算出部２０１、メモリ２０２、および変更部２０３を備えている。
【００９３】
平均輝度算出部２０１は、供給された画像信号に基づいて、表示画像の画素の輝度の平均を算出することにより、表示画像の平均輝度を算出する。そして、平均輝度算出部２０１は、算出した平均輝度をメモリ２０２および変更部２０３に供給する。
【００９４】
メモリ２０２は、平均輝度算出部２０１から供給された平均輝度を表示画像の１フレーム分の時間だけ保持した後、変更部２０３に供給する。変更部２０３は、巡回係数を保持しており、平均輝度算出部２０１から供給された平均輝度と、メモリ２０２から供給された平均輝度との差分を算出して、算出された差分に応じて巡回係数を変更する。変更部２０３は、保持している巡回係数を変更すると、変更された巡回係数を巡回処理部１２２に供給する。
【００９５】
次に、図１０のフローチャートを参照して、表示制御部８１が図９の構成とされる場合における表示処理について説明する。
【００９６】
ステップＳ５１において、バックライト輝度算出部１２１は、供給された画像信号に基づいてバックライト輝度を算出し、算出したバックライト輝度を巡回処理部１２２の加算部１４１および減算部１４２に供給する。
【００９７】
ステップＳ５２において、平均輝度算出部２０１は、供給された画像信号に基づいて、表示画像の平均輝度を算出して、メモリ２０２および変更部２０３に供給する。例えば、平均輝度算出部２０１は、これから表示しようとする所定のフレームの表示画像の各画素について、画素の輝度を画像信号に基づいて算出し、さらに算出された画素の輝度の和を、表示画像の画素数で除算することにより、所定のフレームの表示画像の平均輝度を算出する。また、メモリ２０２は、保持している平均輝度を変更部２０３に供給するとともに、平均輝度算出部２０１から供給された平均輝度を１フレーム分の時間だけ保持する。
【００９８】
ステップＳ５３において、変更部２０３は、平均輝度算出部２０１から供給された平均輝度と、メモリ２０２から供給された平均輝度とから巡回係数を変更する。
【００９９】
例えば、変更部２０３は、平均輝度算出部２０１から供給された所定のフレームの平均輝度から、メモリ２０２から供給された、所定のフレームの時間的に１つ前のフレームの平均輝度を減算して、平均輝度の差分を求める。そして、変更部２０３は、求めた差分の値に応じて定められる値を、保持している巡回係数に加算することにより、巡回係数を変更する。
【０１００】
ここで、差分の値に応じて定められる値は、例えば差分の値を、所定のフレームおよび前のフレームの平均輝度のうちの絶対値の大きい方の平均輝度で除算した値などとされる。また、例えば、変更部２０３が、平均輝度の差分の値に対して予め定められている定数を、保持している巡回係数に加算することにより、巡回係数を変更するようにしてもよい。
【０１０１】
変更部２０３は巡回係数を変更すると、変更された巡回係数を巡回処理部１２２の乗算部１４３に供給する。その後、ステップＳ５４の処理乃至ステップＳ６２の処理が行われるが、これらの処理は図７のステップＳ１２の処理乃至ステップＳ２０の処理と同様であるので、その説明は省略する。
【０１０２】
このようにして、表示装置６１は、画像信号に基づいて、表示画像の平均輝度を算出し、算出した平均輝度を用いて巡回係数を動的に変更する。
【０１０３】
このように、表示画像の平均輝度を用いて巡回係数を動的に変更することで、バックライト輝度の急激な変化を抑制し、その結果、表示画像の画質の劣化を抑制することができる。また、表示画像の平均輝度の変化に応じて適切に巡回係数が変更されるので、バックライト輝度の変動が抑制され過ぎて、バックライト輝度が不足するようなこともない。特に、平均輝度を用いて巡回係数を変更すると、表示画像のシーンチェンジにより急激にバックライト輝度が変動する場合において、表示画像の画質の劣化の抑制に効果的である。
【０１０４】
例えば、表示画像全体が明るいシーンから暗いシーンに切り替わる場合、巡回係数が大きいと、つまりバックライト輝度の補正に対する前のフレームの寄与の度合いが大きいと、バックライト輝度は比較的緩やかに変化する。したがって、表示画像全体が暗いシーンとなっても、実際に表示される表示画像は、しばらくの間、明るく表示されてしまうことになる。
【０１０５】
巡回係数算出部１７１においては、時間的に前後するフレームの平均輝度の差分が求められ、その差分の値に応じて定められる値が巡回係数に加算される。そして、巡回係数に加算される値は、例えば、差分を絶対値の大きい方の平均輝度で除算した値とされる。この場合、時間とともに平均輝度が小さくなると巡回係数は減少し、平均輝度が大きくなると巡回係数は増加する。つまり、表示画像が明るいシーンから暗いシーンに切り替わると、巡回係数は減少し、逆に暗いシーンから明るいシーンに切り替わると、巡回係数は増加する。
【０１０６】
したがって、例えば、表示画像全体が明るいシーンから暗いシーンに切り替わった場合には、巡回係数が減少して、バックライト輝度の補正に対する前のフレームの寄与の度合いが小さくなり、バックライト輝度は比較的速く所望の輝度に到達するように補正される。この場合においてもバックライト輝度が補正されるため、バックライト輝度は、急激な変化は抑制されつつ、より迅速に所望の輝度に到達するように変更されることになり、表示画像の画質の劣化が抑制される。
【０１０７】
なお、表示画像の平均輝度の差分に応じて巡回係数が変更される場合、差分の絶対値が所定の閾値以上であるときには、シーンチェンジがあったとされて、巡回係数が小さくなるようにすれば、シーンチェンジにより生じる画質の劣化をより効果的に抑制することができる。
【０１０８】
また、表示画像における白い部分の面積に応じて巡回係数が変更されるようにしてもよい。例えば、表示画像上の黒い点が白い点に変化する場合に、バックライト輝度を急激に高くすると、星が点滅しているシーンなどのように、黒い背景で白く小さい点が点滅しているときには、表示画像の黒い部分がバックライト輝度の急激な変化の影響を受けて、表示画像の画質が劣化してしまう恐れがある。逆に、例えば、黒い背景に白い大きな物体（オブジェクト）が現れた場合に、バックライト輝度が殆ど変化しないようにバックライト輝度の補正を行うと、表示画像全体が暗くなってしまう。
【０１０９】
そこで、表示画像上の白い領域の面積が小さい場合には、表示画像上に主要な白い物体は存在しないとして、バックライト輝度の急激な変化が抑制されるように巡回係数を大きくし、表示画像上の白い領域の面積が大きい場合には、表示画像上に主要な白い物体が存在するとして、バックライト輝度が比較的大きく変化するように巡回係数を小さくすることで、表示画像の画質の劣化を抑制することができる。
【０１１０】
このように、表示画像上の白い領域の面積に応じて巡回係数が変更される場合、図８の巡回係数算出部１７１は、例えば、図１１に示すように、フィルタ処理部２３１および変更部２３２を備えた構成とされる。
【０１１１】
フィルタ処理部２３１は、供給された画像信号に対してローパスフィルタを用いてフィルタ処理を施し、フィルタ処理の施された画像信号を変更部２３２に供給する。変更部２３２は、フィルタ処理部２３１から供給された画像信号に基づいて、表示画像、より詳細には、表示画像上の部分表示領域に対応する領域における白い領域の面積を示す値を算出し、算出された値に応じて、保持している巡回係数を変更する。変更部２３２は、変更した巡回係数を巡回処理部１２２に供給する。
【０１１２】
ここで、表示画像上の白い領域とは、画素値が予め定められた所定値以上である画素からなる領域をいう。
【０１１３】
次に、図１２のフローチャートを参照して、表示制御部８１が図１１の構成とされる場合における表示処理について説明する。
【０１１４】
ステップＳ９１において、バックライト輝度算出部１２１は、供給された画像信号に基づいてバックライト輝度を算出し、算出したバックライト輝度を巡回処理部１２２の加算部１４１および減算部１４２に供給する。
【０１１５】
ステップＳ９２において、フィルタ処理部２３１は、供給された画像信号に対して、ローパスフィルタを用いたフィルタ処理を施し、フィルタ処理の施された画像信号を変更部２３２に供給する。
【０１１６】
ステップＳ９３において、変更部２３２は、フィルタ処理部２３１から供給された画像信号に基づいて巡回係数を変更する。
【０１１７】
例えば、図１３Ａに示すように、表示画像上の白い領域の面積が小さい場合には、ローパスフィルタによりフィルタ処理が施されると、その白い領域の画素値は大幅に小さくなる。これに対して、図１３Ｂに示すように、表示画像上の白い領域の面積が大きい場合には、ローパスフィルタによりフィルタ処理が施されても、その白い領域の画素値は殆ど変化しない。
【０１１８】
なお、図１３Ａおよび図１３Ｂにおいて、縦方向は表示画像の画素の画素値（輝度）を示しており、横方向は表示画像上の位置を示している。また、図１３Ａおよび図１３Ｂにおいて、点線は、フィルタ処理前の表示画像の各画素の画素値を示しており、実線は、フィルタ処理を施して得られた表示画像の各画素の画素値を示している。
【０１１９】
図１３Ａでは、フィルタ処理が施される前の表示画像上の図中、中央の領域において、その領域内の画素の画素値が周囲の画素よりも大幅に大きくなっており、各位置の画素の画素値を示す点線は、図中、中央の部分が突出している。ところが、フィルタ処理が施されると、表示画像上の図中、中央の領域内の画素の画素値が大幅に小さくなり、各位置の画素の画素値を示す実線はほぼ平坦な曲線となる。つまり、表示画像上における白い物体の面積が小さいと、ローパスフィルタによるフィルタ処理により、その物体の画素の画素値は小さくなり、周囲の画素の画素値とほぼ同じ値となる。
【０１２０】
これに対して、図１３Ｂでは、フィルタ処理が施される前の表示画像上の図中、両端を除く領域内の画素の画素値が、周囲の画素よりも大幅に大きくなっており、各位置の画素の画素値を示す点線は、図中、中央の部分が幅広く突出している。図１３Ｂでは、図１３Ａにおける場合よりも、画素値の大きい領域、つまり白い物体の領域が大きい。
【０１２１】
そして、表示画像にフィルタ処理が施されると、表示画像上の図中、中央の領域では、その領域内の画素の画素値は殆ど変化せず、各位置の画素の画素値を示す実線はほぼ点線と同じ曲線となる。つまり、表示画像上における白い物体の面積が大きいと、ローパスフィルタによるフィルタ処理を施しても、その物体の画素の画素値は殆ど変化しない。
【０１２２】
そこで、変更部２３２は、フィルタ処理部２３１から供給された画像信号に基づいて、表示画像上の画素のうち、予め定められた閾値以上の画素値（輝度）の画素の数に応じて、保持している巡回係数を変更する。例えば、予め定められた閾値以上の画素値の画素の数が多いほど、表示画像上の白い領域の面積は大きいことになるので、変更部２３２は、その画素数が多いほど、より巡回係数が小さくなるように巡回係数を変更する。
【０１２３】
変更部２３２により巡回係数が変更され、巡回係数が巡回処理部１２２の乗算部１４３に供給されると、その後、ステップＳ９４の処理乃至ステップＳ１０２の処理が行われるが、これらの処理は図７のステップＳ１２の処理乃至ステップＳ２０の処理と同様であるので、その説明は省略する。
【０１２４】
このようにして、表示装置６１は、表示画像上の白い領域の面積の大きさに応じて、巡回係数を動的に変更する。
【０１２５】
このように、表示画像上の白い領域の面積の大きさに応じて、巡回係数を変更することで、バックライト輝度が不必要に急激に変化することを抑制し、これにより表示画像の画質の劣化を抑制することができる。すなわち、表示画像上の白い領域が大きくなるほど巡回係数が小さくなるように巡回係数が変更される。これにより、表示画像上の白い領域が小さい場合には、バックライト輝度が比較的緩やかに変化し、白い領域が大きい場合には、バックライト輝度が比較的大きく変化するように巡回係数が変更され、表示画像の画質の劣化が抑制される。また、白い領域の面積に応じて巡回係数が変更されるので、バックライト輝度の変動が抑制され過ぎて、バックライト輝度が不足するようなこともない。
【０１２６】
さらに、複数のバックライト８３を用いて液晶パネル８５に表示画像を表示させる場合、バックライト輝度は、液晶パネル８５に表示しようとする表示画像の輝度よりも常に高いことが望まれる。そのような観点からは、表示画像全体が暗い状態から明るい状態に変化するときには、なるべく速く明るくなるようにし、表示画像全体が明るい状態から暗い状態に変化するときには、徐々に暗くなることが望ましい。
【０１２７】
そこで、表示画像の状態ではなく、バックライト輝度自体の変動に応じて巡回係数を変更するようにしてもよい。そのような場合、表示制御部８１は、例えば図１４に示すように構成される。なお、図１４において、図６における場合と対応する部分には同一の符号を付してあり、その説明は適宜省略する。
【０１２８】
図１４の表示制御部８１には、図６の表示制御部８１に、さらにメモリ２６１および変更部２６２が設けられている。また、バックライト輝度算出部１２１により算出されたバックライト輝度は、巡回処理部１２２、メモリ２６１、および変更部２６２に供給される。
【０１２９】
メモリ２６１は、バックライト輝度算出部１２１から供給されたバックライト輝度を１フレーム分の時間だけ保持し、保持しているバックライト輝度を変更部２６２に供給する。変更部２６２は、巡回係数を保持しており、バックライト輝度算出部１２１から供給されたバックライト輝度と、メモリ２６１に保持されているバックライト輝度との差分を求め、求めた差分に応じて、保持している巡回係数を変更する。変更部２６２は、変更された巡回係数を巡回処理部１２２に供給する。
【０１３０】
次に、図１５のフローチャートを参照して、表示制御部８１が図１４の構成とされる場合における表示処理について説明する。
【０１３１】
ステップＳ１３１において、バックライト輝度算出部１２１は、供給された画像信号に基づいてバックライト輝度を算出し、算出したバックライト輝度を加算部１４１、減算部１４２、メモリ２６１、および変更部２６２に供給する。メモリ２６１は、バックライト輝度算出部１２１から供給されたバックライト輝度を保持する。
【０１３２】
ステップＳ１３２において、変更部２６２は、バックライト輝度算出部１２１から供給された、これから表示しようとする所定のフレームのバックライト輝度から、メモリ２６１から供給された、所定のフレームの時間的に１つ前のフレームのバックライト輝度を減算することにより、バックライト輝度の差分を求める。
【０１３３】
ステップＳ１３３において、変更部２６２は、求めた差分に基づいて、巡回係数を変更する。例えば、変更部２６２は、保持している巡回係から、求めた差分に応じて定まる値を減算することにより巡回係数を変更する。ここで、差分に応じて定まる値は、差分を、所定のフレームおよび前のフレームのバックライト輝度のうちの絶対値の大きい方のバックライト輝度で除算した値など、差分の値が大きいほど大きくなる値とされる。この場合、バックライト輝度の差分の符号および絶対値に応じて、巡回係数が変更される。
【０１３４】
このように、バックライト輝度の差分が大きいほど巡回係数が小さくなるように、巡回係数を変更することにより、表示画像全体が暗い状態から明るい状態に変化するときには、巡回係数が小さくなり、表示画像は比較的速く明るい状態となる。また、表示画像全体が明るい状態から暗い状態に変化するときには、巡回係数は大きくなり、表示画像は徐々に暗くなる。したがって、バックライト輝度の急激な変動を抑えて、表示画像の画質の劣化を抑制することができる。
【０１３５】
変更部２６２は、巡回係数を変更すると、変更した巡回係数を巡回処理部１２２の乗算部１４３に供給する。その後、ステップＳ１３４の処理乃至ステップＳ１４２の処理が行われるが、これらの処理は図７のステップＳ１２の処理乃至ステップＳ２０の処理と同様であるので、その説明は省略する。
【０１３６】
このようにして、表示装置６１は、バックライト輝度の差分に基づいて、巡回係数を動的に変更する。このように、バックライト輝度の差分に基づいて巡回係数を変更することにより、表示画像の状態の変化に対して、適切に巡回係数を変更することができ、その結果、バックライト輝度の急激な変動を抑え、表示画像の画質の劣化を抑制することができる。また、バックライト輝度の変動が抑制され過ぎて、バックライト輝度が不足するようなこともない。
【０１３７】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１３８】
図１６は、上述した一連の処理をプログラムにより実行するコンピュータのハードウェアの構成例を示すブロック図である。
【０１３９】
コンピュータにおいて、CPU（Central Processing Unit）５０１，ROM（Read Only Memory）５０２，RAM（Random Access Memory）５０３は、バス５０４により相互に接続されている。
【０１４０】
バス５０４には、さらに、入出力インターフェース５０５が接続されている。入出力インターフェース５０５には、キーボード、マウス、マイクロホンなどよりなる入力部５０６、ディスプレイ、スピーカなどよりなる出力部５０７、ハードディスクや不揮発性のメモリなどよりなる記録部５０８、ネットワークインターフェースなどよりなる通信部５０９、磁気ディスク、光ディスク、光磁気ディスク、或いは半導体メモリなどのリムーバブルメディア５１１を駆動するドライブ５１０が接続されている。
【０１４１】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０１４２】
コンピュータ（CPU５０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア５１１に記録して、あるいは、ローカルエリアネットワーク、インターネット、デジタル衛星放送といった、有線または無線の伝送媒体を介して提供される。
【０１４３】
そして、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０１４４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４５】
なお、本発明の実施の形態は、上述した実施の形態に限定されるものではなく、本発明の要旨を逸脱しない範囲において種々の変更が可能である。
【図面の簡単な説明】
【０１４６】
【図１】従来の液晶表示装置の構成を示す図である。
【図２】従来の液晶表示装置における画像の画質の劣化について説明する図である。
【図３】従来の液晶表示装置における画像の画質の劣化について説明する図である。
【図４】従来の液晶表示装置における画像の画質の劣化について説明する図である。
【図５】本発明を適用した表示装置の一実施の形態の構成例を示す図である。
【図６】表示制御部のより詳細な構成例を示す図である。
【図７】表示処理を説明するフローチャートである。
【図８】表示制御部の他の構成例を示す図である。
【図９】表示制御部の他の構成例を示す図である。
【図１０】表示処理を説明するフローチャートである。
【図１１】表示制御部の他の構成例を示す図である。
【図１２】表示処理を説明するフローチャートである。
【図１３】表示画像上の白い領域の面積について説明する図である。
【図１４】表示制御部の他の構成例を示す図である。
【図１５】表示処理を説明するフローチャートである。
【図１６】コンピュータの構成例を示す図である。
【符号の説明】
【０１４７】
６１  表示装置，  ８１−１乃至８１−４，８１  表示制御部，  ８２−１乃至８２−４，８２  バックライト制御部，  ８３−１乃至８３−４，８３  バックライト，  ８４  液晶パネル制御部，  ８５  液晶パネル，  １２１  バックライト輝度算出部，  １２２  巡回処理部，  １２３  入射輝度算出部，  １２４  除算部，  １４１  加算部，  １４２  減算部，  １４３  乗算部，  １７１  巡回係数算出部，  ２０１  平均輝度算出部，  ２０３  変更部，  ２３１  フィルタ処理部，  ２３２  変更部，  ２６２  変更部
【図１】
2009267475.tif 000003
【図２】
2009267475.tif 000004
【図３】
2009267475.tif 000005
【図４】
2009267475.tif 000006
【図５】
2009267475.tif 000007
【図６】
2009267475.tif 000008
【図７】
2009267475.tif 000009
【図８】
2009267475.tif 000010
【図９】
2009267475.tif 000011
【図１０】
2009267475.tif 000012
【図１１】
2009267475.tif 000013
【図１２】
2009267475.tif 000014
【図１３】
2009267475.tif 000015
【図１４】
2009267475.tif 000016
【図１５】
2009267475.tif 000017
【図１６】
2009267475.tif 000018